(57)【要約】【課題】  本発明は、音再生回路とスピーカの検査方法に関し、より詳細には良品と判定された音再生装置から取得した再生音の音データファイルをリファレンスとして試験対象の音再生装置から取得した再生音の音データファイルを比較し、良否の判定を行う音再生装置検査方法、音再生装置検査プログラムおよび音再生装置検査システムに関する。【解決手順】  本発明は、良品の音再生装置から音データを取得したリファレンスファイルから所定値の加減算を行って基準データを作成し、検査対象の音再生装置から音データを取得した検査用ファイルを作成して１サンプリングデータ毎に基準データの範囲内かどうかを調べ、範囲外のときは１サンプリングデータを遅らせ範囲内かどうかを調べることを繰り返し行い、予め設定したデータ数が連続して範囲内であれば合格と判定するよう構成する。【選択図】    図１
2007306410.tif 000002
【特許請求の範囲】
【請求項１】
音再生回路とスピーカとからなる音再生装置を検査する音再生装置検査方法であって、
良品と判定された音再生装置から検査用音データの再生音をサンプリングして作成されたリファレンスファイルから該リファレンスファイルのデータ構成単位に所定値を加減算して上限値と下限値を算出し、基準データファイルを作成する基準データファイル作成手順と、
検査対象の音再生装置から前記検査用音データの再生音をサンプリングし、サンプリングした再生音を変換して検査用ファイルを作成する検査用ファイル作成手順と、
前記検査用ファイルのデータを、データ構成単位に前記基準データファイルの上限値と下限値との範囲内にあるかどうかを予め設定したデータ数について順次比較して調べる比較検査手順と、
前記比較検査手順の結果において、前記検査用ファイルのデータが前記データ数連続して前記範囲内にあれば試験対象の音再生装置を合格と判定し、該範囲を外れた場合は該検査用ファイルのデータをデータ構成単位にスタートを遅らせて該比較検査手順を実施して該検査用ファイルのデータが該データ数連続して該範囲内にあれば合格と判定し、そうでなければ不合格と判定する合否判定手順と、
を備えることを特徴とする音再生装置検査方法。
【請求項２】
音再生回路とスピーカとからなる音再生装置を検査する音再生装置検査プログラムであって、
コンピュータに、
良品と判定された音再生装置から検査用音データの再生音をサンプリングして作成されたリファレンスファイルから該リファレンスファイルのデータ構成単位に所定値を加減算して上限値と下限値を算出し、基準データファイルを作成する基準データファイル作成手順と、
検査対象の音再生装置から前記検査用音データの再生音をサンプリングし、サンプリングした再生音を変換して検査用ファイルを作成する検査用ファイル作成手順と、
前記検査用ファイルのデータを、データ構成単位に前記基準データファイルの上限値と下限値との範囲内にあるかどうかを予め設定したデータ数について順次比較して調べる比較検査手順と、
前記比較検査手順の結果において、前記検査用ファイルのデータが前記データ数連続して前記範囲内にあれば試験対象の音再生装置を合格と判定し、該範囲を外れた場合は該検査用ファイルのデータをデータ構成単位にスタートを遅らせて該比較検査手順を実施して該検査用ファイルのデータが該データ数連続して該範囲内にあれば合格と判定し、そうでなければ不合格と判定する合否判定手順と、
を実行させるための音再生装置検査プログラム。
【請求項３】
音再生回路とスピーカとからなる音再生装置を検査する音再生装置検査システムであって、
良品と判定された音再生装置から検査用音データの再生音をサンプリングして作成されたリファレンスファイルから該リファレンスファイルのデータ構成単位に所定値を加減算して上限値と下限値を算出し、基準データファイルを作成する基準データファイル作成手段と、
検査対象の音再生装置から前記検査用音データの再生音をサンプリングし、サンプリングした再生音を変換して検査用ファイルを作成する検査用ファイル作成手段と、
前記検査用ファイルのデータを、データ構成単位に前記基準データファイルの上限値と下限値との範囲内にあるかどうかを予め設定したデータ数について順次比較して調べる比較検査手段と、
前記比較検査手段の結果において、前記検査用ファイルのデータが前記データ数連続して前記範囲内にあれば試験対象の音再生装置を合格と判定し、該範囲を外れた場合は該検査用ファイルのデータをデータ構成単位にスタートを遅らせて該比較検査手段を実施して該検査用ファイルのデータが該データ数連続して該範囲内にあれば合格と判定し、そうでなければ不合格と判定する合否判定手段と、
を備えることを特徴とする音再生装置検査システム。
【請求項４】
音再生回路とスピーカとからなる音再生装置を検査する音再生装置検査方法であって、
検査対象の音再生装置から検査用音データの再生音をサンプリングし、サンプリングした再生音を変換して検査用ファイルを作成する検査用ファイル作成手順と、
前記検査用ファイルのデータを、前記検査用音データに対する上限値と下限値を定めた基準データファイルのデータとデータ構成単位に順次比較し、該検査用ファイルのデータが該上限値と下限値との範囲内にあるかどうかを予め設定したデータ数について調べる比較検査手順と、
前記比較検査手順の結果において、前記検査用ファイルのデータが前記データ数連続して前記範囲内にあれば試験対象の音再生装置を合格と判定し、該範囲を外れた場合は該検査用ファイルのデータをデータ構成単位にスタートを遅らせて該比較検査手順を実施して該検査用ファイルのデータが該データ数連続して該範囲内にあれば合格と判定し、そうでなければ不合格と判定する合否判定手順と、
を備えることを特徴とする音再生装置検査方法。
【請求項５】
音再生回路とスピーカとからなる音再生装置を検査する音再生装置検査システムであって、
検査対象の音再生装置から検査用音データの再生音をサンプリングし、サンプリングした再生音を変換して検査用ファイルを作成する検査用ファイル作成手段と、
前記検査用ファイルのデータを、前記検査用音データに対する上限値と下限値を定めた基準データファイルのデータとデータ構成単位に順次比較し、該検査用ファイルのデータが該上限値と下限値との範囲内にあるかどうかを予め設定したデータ数について調べる比較検査手段と、
前記比較検査手段の結果において、前記検査用ファイルのデータが前記データ数連続して前記範囲内にあれば試験対象の音再生装置を合格と判定し、該範囲を外れた場合は該検査用ファイルのデータをデータ構成単位にスタートを遅らせて該比較検査手段を実施して該検査用ファイルのデータが該データ数連続して該範囲内にあれば合格と判定し、そうでなければ不合格と判定する合否判定手段と、
を備えることを特徴とする音再生装置検査システム。
【発明の詳細な説明】
【技術分野】
【０００１】
本発明は、音再生回路とスピーカの音再生装置の検査方法に関し、より詳細には良品と判定された音再生装置から取得した再生音の音データファイルをリファレンスとして試験対象の音再生装置から取得した再生音の音データファイルのデータと比較し、良否の判定を行う音再生装置検査方法、音再生装置検査プログラムおよび音再生装置検査システムに関する。
【背景技術】
【０００２】
ディスクトップパソコンやノートパソコンにはスピーカを内蔵しているのが一般的になっている。このスピーカは、以前には操作者が誤操作をしたときやコンピュータが誤動作したような場合に警告音としてビープ音を報知し、操作者に通知する目的で用いられていた。しかし、最近ではマルチメディア技術の進歩にともなって従来のビープ音の報知に加えてオーディオやビジュアルオーディオの音声データの再生にも用いられるようになって来た。例えば、音楽用のＣＤ（Compact Disk）を再生したり、ネットワークを介して音楽データをダウンロードして音楽を楽しむことは当たり前に行われている。また、動画のデータのダウンロードも行われるようになってきた。当然のことながらその再生はステレオ再生であり、左右に配置された２つのスピーカから再生音を聞くことができる。
【０００３】
パソコン製造における出荷検査では各種の検査が行われているが、その検査の一つとして音データを再生する回路とスピーカ（合わせてここでは音再生装置とも言う）の検査を行っている。この検査は例えば１ＫＨｚのビープ音をスピーカから出力させて、作業者が左右のそれぞれのスピーカからの再生音を聴き、音量とビビリ音の有無を判断して良否の判断を行っている。
【０００４】
警報器の検査において耳障りの音を発することのない検査方法が提案されている。この提案は、警報機の故障を判定するシステムで、故障判定用の故障判定信号として非矩形波の信号を音警報部に与え、音警報部のスピーカの出力電圧を所定の閾値と比較することにより故障の有無を自動判定するものである（特許文献１）。
【特許文献１】特開２００２−１７０１８３号公報
【発明の開示】
【発明が解決しようとする課題】
【０００５】
上記に説明したように、パソコンの音再生装置の検査は作業者が直接スピーカから再生された音を聴き、良否の判定を行っていた。この検査は左右のスピーカに対してビープ音の音量とビビリの有無を調べるものであったが、検査対象のスピーカ以外のスピーカからも音が出ており人間の感性に寄る判断のため誤判断する場合があった。また、検査に時間を要して検査コストが高くついていた、という問題もあった。
【０００６】
特許文献１に提案された検査方法は、人の耳に寄るものではないため誤判断がなくなり本発明の課題を解決する上でも有効の手段と考える。
【０００７】
本発明は、特許文献１とは異なる方法で人の耳に寄らず（即ち、人間の感性に寄らず）自動的に音再生回路とスピーカとを検査し、特別の装置を要することがなく検査コストを低く抑えた検査方法と検査システムを提供することを目的としている。
【課題を解決するための手段】
【０００８】
上記目的を達成するために、音再生装置検査方法、音再生装置検査プログラムおよび音再生装置検査システムは以下のように構成される。
（１）第１の発明
第１の発明は、検査用音データを用いて予め良品と判定された音再生装置からサンプリングしたリファレンスファイルの各データについて上限と下限の範囲を算出した基準データを作成しておき、試験対象の音再生装置からサンプリングした検査用ファイルのデータと基準データファイルのデータとを比較して音再生装置の合否判断を行うものである。
【０００９】
図１は第１の発明の原理を示すもので、基準データファイル作成手順１０、検査用ファイル作成手順２０、比較検査手順３０および合否判定手順４０から構成する。
【００１０】
基準データファイル作成手順１０は、良品と判定された音再生装置から検査用音データの再生音をサンプリングして作成されたリファレンスファイルに対して、そのリファレンスファイルのサンプリングした音データを構成する単位に所定値を加減算して上限値と下限の値を算出し、基準データファイルを作成する。基準データファイルのデータは後述する比較検査手順３０において検査用ファイルのデータと比較されるが、上限値と下限の値を算出しているのは、検査用ファイルのデータとの音量差を見込むためである。
【００１１】
検査用ファイル作成手順２０は、検査対象の音再生装置から出力された検査用音データの再生音をサンプリングし、サンプリングした再生音を変換して検査用ファイルを作成する。検査用音データは、リファレンスファイルを作成したときのデータと同一のデータである。
【００１２】
比較検査手順３０は、検査用ファイル作成手順２０で作成した検査用ファイルのデータをサンプリングした音データを構成する単位に基準データファイルの上限値と下限値との範囲内にあるかどうかを予め設定したデータ数について順次比較して調べる。
【００１３】
合否判定手順４０は、比較検査手順の結果において検査用ファイルのデータが予め設定したデータ数連続して上限と下限の範囲にあれば試験対象の音再生装置を合格と判定する。検査用ファイルのデータがその範囲を外れた場合は、検査用ファイルのデータを音データを構成する単位でスタートを遅らせて比較検査手順を実施する。そして検査用ファイルのデータが予め設定したデータ数連続して範囲内にあれば合格と判定し、そうでなければ不合格と判定する。即ち、検査用ファイルのデータを基準データファイルのデータと比較する場合に、音データを構成する単位（即ち、１サンプリングデータ）でずらしながらデータを比較して同期を取ることを行っている。
【００１４】
第１の発明によれば、良品の音再生装置から得られた音データを基に検査対象の音再生装置を自動的に合否の判定ができ、誤判断がなくなる。また、これらの検査システムは安価に作れることから低い検査コストで検査できる。
（２）第２の発明
第２の発明は、第１の発明における音再生装置検査プログラムである。
（３）第３の発明
第３の発明は、第１の発明における音再生装置検査システムである。
（４）第４の発明
第４の発明は、予め基準データファイルを備える場合の発明で、検査用ファイル作成手順、比較検査手順および合否判定手順とで構成し、これらの構成要素は第１の発明と同一内容の音再生装置検査方法である。
（５）第５の発明
第５の発明は、予め基準データファイルを備える場合の発明で、検査用ファイル作成手段、比較検査手段および合否判定手段とで構成し、これらの構成要素は第１の発明と同一内容の音再生装置検査システムである。
【発明の効果】
【００１５】
第１の発明により音再生装置の検査の自動化が図れるので、人間の感性による判断がなく誤判断がなくなる。また、検査に必要な設備は高価なものではなく、低検査コストが期待できる音再生装置検査方法の提供ができる。
【００１６】
第２の発明により、第１の発明と同様の理由で誤判断がなく、低い検査コストで検査ができる音再生装置検査プログラムの提供ができる。
【００１７】
第３の発明により、第１の発明と同様の理由で誤判断がなく、低い検査コストで検査ができる音再生装置検査システムの提供ができる。
【００１８】
第４の発明により、第１の発明と同様の音再生装置検査方法の提供ができる。
【００１９】
第５の発明により、第３の発明と同様の音再生装置検査システムの提供ができる。
【発明を実施するための最良の形態】
【００２０】
本発明の実施例について図２から図８を用いて説明する。
【００２１】
図２は、音再生装置検査システムのシステムの構成例を説明する図である。図２の例は、検査対象の音再生装置を内蔵するパソコンが自身で検査する場合のシステム構成の例を示している。
【００２２】
被検査パソコン１００は、プログラムやデータを制御する制御部１１０、検査対象の音再生装置である音再生回路１３０とスピーカ１４０、スピーカ１４０からの再生音をピックアップするマイクロフォン１５０、検査の判定結果を表示するディスプレイ１６０、これらを制御する入出力制御部１２０、再生音を取得するための検査用のデータである検査用音データを格納した検査用音データファイル１７１、検査用音データの再生音をマイクロフォン１５０で取得しＷＡＶファイルのフォーマットに変換した検査用ＷＡＶファイル１７２、良品と判定された他のパソコンの音再生装置から再生音を取得し、ＷＡＶファイルのフォーマットに変換したリファレンスＷＡＶファイル１７３、リファレンスＷＡＶファイル１７３を基に作成した比較の基準となる基準データファイル１７４および検査プログラム１９０をローディングし実行する主記憶１８０で構成する。なお、ＷＡＶファイルは、Ｗｉｎｄｏｗｓ（登録商標）標準の音フォーマットであり、サンプリングされた１つの音データを構成するバイト数は１バイトまたは２バイトである。
【００２３】
検査プログラム１９０は、さらに基準データファイル作成部１９１、音データ再生部１９２、検査用ＷＡＶファイル作成部１９３、検査／判定部１９４および判定結果表示部１９５で構成する。次に個々のプログラムについて概要を説明する。
【００２４】
基準データファイル作成部１９１は、リファレンスＷＡＶファイル１７３のデータをＷＡＶファイルの音データを構成するバイト単位（ここでは、このバイト単位を構成バイトと言う）毎に取り出し構成バイトの音データの値に予め定めた数値を加減算を行い、上限値と下限値を求める。求めた上限値と下限値を順次記憶領域に格納し、基準データファイル１７４を作成する。この部分は第１の発明の基準データファイル作成手順１０に対応する。なお、ここでのリファレンスＷＡＶファイル１７３は、左右のスピーカからピックアップした再生音を合わせて１つのものとしている。
【００２５】
音データ再生部１９２は、検査用音データファイル１７１のデータ（ここでは、１ＫＨｚの正弦波とする）を入出力制御部１２０を介して音再生回路１３０に与え、スピーカ１４０から再生音を出力させる。このときの再生音の音量は、リファレンスＷＡＶファイル１７３を作成するときに良品と判定された音再生装置から再生音を取得するときと略同じ音量であるものとする。
【００２６】
検査用ＷＡＶファイル作成部１９３は、音データ再生部１９２によりスピーカ１４０から出力された再生音をマイクロフォン１５０を用いてピックアップし、ピックアップした再生音を例えば４４ＫＨｚでサンプリングを行い、ＷＡＶファイルフォーマットに変換して検査用ＷＡＶファイル１７２を作成する。このときも、検査用ＷＡＶファイル１７２は左右のスピーカからピックアップした再生音を合わせて１つのものとしている。また、マイクロフォン１５０の置かれる位置は、リファレンスＷＡＶファイル１７３を作成した時と略同じ位置にあるものとする。さらに、検査用ＷＡＶファイル１７２はリファレンスＷＡＶファイル１７３と同じサンプリングレートでサンプリングされ、同じ構成バイトである。この検査用ＷＡＶファイル作成部１９３と音データ再生部１９２とが第１の発明の検査用ファイル作成手順２０に対応する。
【００２７】
検査／判定部１９４は、検査用ＷＡＶファイル１７２の最初の構成バイトの音データが基準データファイル１７４の最初の上限値と下限値の範囲内にあるかどうかを調べ、もし範囲外であれば検査用ＷＡＶファイル１７２の次の構成バイトを調べる。範囲内にあれば検査用ＷＡＶファイル１７２と基準データファイル１７４の次のデータに移り、これを繰り返し、検査用ＷＡＶファイル１７２の所定のバイト数が連続して基準データに示される範囲内にあることが確認されれば検査合格と判断する。基準データの範囲を外れれば不合格と判断する。この処理は、第１の発明の比較検査手順３０と合否判定手順４０に対応する。
【００２８】
判定結果表示部１９５は、検査／判定部１９４で判定された結果をディスプレイ１６０に表示する。
【００２９】
以上各プログラムの概要を説明した。次に、検査用ＷＡＶファイルやリファレンスＷＡＶファイルとして作成するＷＡＶファイルについて説明する。図３はＷＡＶファイルのフォーマットにおけるデータ例を示している。ファイル内アドレス“００００００”から“００００３８”（何れも１６進）までがファイルのヘッダ部で、ＷＡＶファイルであることの識別子やファイルサイズ、サンプリングレートなどの情報を格納してある。例えば、最初の４バイトはＲＩＦＦ形式の識別子として“ＲＩＦＦ“の文字コードが格納され（ＷＡＶ形式はＲＩＦＦというフォーマットの１つであるため）、次の４バイトはファイルサイズ、そして更に次の４バイトはＲＩＦＦの種類を表す識別子である“ＷＡＶＥ”の文字コードが格納されている。“００００２２”には１サンプル当りのビット数（即ち、構成バイトのビット数）が格納され、このデータ例は８ビット（１バイト）であることを示している（以降の実施例での説明は、構成バイトは１バイトであるものとして説明する）。
【００３０】
“００００３９”（１６進）以降の１バイト毎のデータがサンプリングされた音データである。例えば、基準データファイル作成部１９１では良品と判定された音再生装置から取得したこの音データを１バイト単位に取り出し、その数値に所定の値を加算して上限値を、所定の値を減算して下限値を算出する処理を行う（即ち、算出した上限値と下限値により良品と判定する範囲を求める処理を行っている）。また、検査／判定部１９４では、検査対象から取得したこの音データが先に求めた上限と下限の値の中にあるかどうかを判定することを行うものである。
【００３１】
次に、基準データの作成方法の実施例を説明する。図４は、検査用音データの波形を示したもので、ここでは１ＫＨｚの正弦波を用いている。図５は基準データを作成することを説明する図で３つの波形が描かれているが、真ん中の波形が図４に示す検査用音データを良品と判定された音再生装置を介して再生した再生音をサンプリングして得られたデータである（サンプリングしたことを模式的に示すため、点線で示した）。図５の縦軸は再生音の振幅を示し、“８０”を中心として“００”から“ＦＦ”（いずれも１６進）までの間で表している。横軸はサンプリングした時間を表わしている。真ん中に示されるデータに対して、予め定めた数値を加えて上限値を求めたのが、図５に示す上側の波形である。また、真ん中に示されるデータに対して、予め定めた数値を減じて下限値を求めたのが、図５に示す下側の波形である。この求めた上限と下限の値が基準データである。
【００３２】
続いて、基準データを用いた検査方法について説明する。図６は、検査方法と合否判定を説明する図で、図６の上の図は図５で求めた基準データの上限と下限の２つの波形に検査対象の音再生装置からサンプリングして作成した検査用ＷＡＶファイルのデータを示している。この図で示されるように、検査用ＷＡＶファイルのデータは基準データで示される上限と下限の間の範囲内に収まっていない。このような場合に、基準データはそのままにした状態で、検査用ＷＡＶファイルのデータを構成バイトの１バイトずらしてスタートさせ、以降の波形が基準データの範囲に収まるかどうかを指定のバイト数分（例えば、４４ＫＨｚでサンプリングし３秒間基準データの範囲にあれば合格であるとするならば、１３２Ｋバイトを調べる）を調べる。さらにまだ範囲から外れていれば、１バイトずつ遅らせる操作を繰り返し、予め指定したバイト数が範囲内に収まっているかどうかを調べる。検査用音データ１ＫＨｚに対して例えば１０周期分程度（サンプリングレートが４４ＫＨｚであれば、４４０バイト）を遅らせる操作をしてそれでも予め指定したバイト数が範囲内になければ不合格と判定する。図６の真ん中の図は、１バイトずつ遅らせて検査用のＷＡＶデータが基準データの範囲内に収まっている状態を示している。この状態が例えば１３２Ｋバイト続いていれば合格と判定する。
【００３３】
次に、今まで述べてきた検査方法を処理フローであらためて説明する。図７は図２に示すシステム構成のプログラムの処理を示し、図２に示す各種のファイルを用いたり作成したりして検査の流れを説明する。まず、そのリファレンスＷＡＶファイル１７３（既に良品と判定された音再生装置からサンプリングして作成したリファレンスＷＡＶファイルが記憶されているものとする）から音データを１バイト取り出し、所定値の加減算を行って上限値と下限値を求め、記憶領域に格納する。この処理を順次行って記憶領域に格納されたものが基準データファイル１７４である。この処理は、基準データファイル作成部１９１で行う（Ｓ１００）。
【００３４】
続いて、音データ再生部１９２により、検査用音データファイル１７１を用いて試験対象の音再生回路１３０とスピーカ１４０より再生音を出力させる（Ｓ１０１）。
【００３５】
検査用ＷＡＶファイル作成部１９３により、マイクロフォン１５０からこの再生音をピックアップし、４４ＫＨｚのサンプリングレートでサンプリングしＷＡＶファイルフォーマットに変換する。順次変換して作成して記憶したものが検査用ＷＡＶファイル１７２である（Ｓ１０２、Ｓ１０３）。
【００３６】
検査用ＷＡＶファイル１７２の作成が終わったら、検査／判定部１９４に移り、先ず初期設定として検査用ＷＡＶファイル１７２の音データのカウンタｉと、基準データのカウンタｎとをそれぞれ“０”に初期化する。カウンタｉとｎとをそれぞれカウントアップし、ｉの値が検査バイト数（検査用ＷＡＶファイル１７２のデータを調べる個数で、予め設定されているものとする。例えば３００Ｋバイト）を超えていないこと（Ｓ１０６の“ｎｏ”）を確認し、ｎの値が合格バイト数になっていなければ（Ｓ１０７の“ｎｏ”）ｎ＋１番目に該当する基準データファイル１７４のデータの上限値と下限値を取り出し、さらに検査用ＷＡＶファイル１７２のｉ＋１番目のデータを取り出す。そして、このデータが基準データファイル１７４のデータの上限と下限の範囲にあるかどうかを調べる。もし、範囲内（Ｓ１１０の“ｙｅｓ”）であれば、ステップＳ１０５に戻る。範囲外（Ｓ１１０の“ｎｏ”）であればｎをリセット（ｎ＝０）としてステップ１０５に戻り、以下同様に繰り返す（Ｓ１０５−Ｓ１１１）。
【００３７】
ステップＳ１０６で、カウンタｉの値が予め設定された検査バイト数を超えたら判定を“ＮＧ”（不合格）と判定し、ｎの値が予め設定された合格バイト数を超えたら判定を“ＯＫ”（合格）と判定する。そして、その結果をディスプレイ１６０に表示する（Ｓ１１２−Ｓ１１４）。
【００３８】
Ｓ１０５からＳ１１４までの処理を纏めると、まず最初に検査用ＷＡＶファイル１７２のデータが基準データファイル１７４のデータの上限と下限の範囲にあるところまでカウンタｉを送り、そこからカンウタｉとｎとを同時にカウントアップしながらデータの比較を行い、範囲内に入っている個数（合格バイト数）に達すれ“ＯＫ”、検査するバイト数の検査バイト数を超えた場合は“ＮＧ”とするのである。
【００３９】
このようにすることにより、良品の再生音と検査対象の再生音の比較がある程度の音量差（マイクロフォン１５０の置かれる位置の差や音再生回路１３０のボリュームの位置、あるいはスピーカ１４０の能率の差などに基づく音量差）があっても基準データの範囲を適切にとることにより吸収でき、また検査用ＷＡＶデータ１７４の比較時に１バイトずつスタートを遅らせることにより基準データとの同期を取ることが可能となり、精確に音再生装置の検査ができる。
【００４０】
上記の実施例では、サンプリングしたデータを１バイトで表わしているので１バイトをずらすことを行っているが、１サンプルのデータを２バイトで表す場合は２バイトをずらすことを行えばよい。
【００４１】
また、上記の実施例は検査対象とする音再生装置を内蔵するパソコンが自身で検査するようにしたが、図８に示すように検査専用のパソコン（検査専用ＰＣ２００）を設けてもよい。その場合は、例えば検査専用ＰＣ２００から検査用音データをＵＳＢケーブル２１０を介して被検査ＰＣ１０１に送り、そのデータを再生させてマイクロフォン１５０で再生音をピックアップし、検査専用ＰＣ２００で合否の判定する。
【００４２】
また、検査用音データを例えば、１０ＫＨｚ、１ＫＨｚ、１００Ｈｚの三種類を持ち、それぞれに同様の検査をすることにより、周波数に依存する検査を行うこともできる。
【００４３】
また、上記実施例では左右のスピーカ１４０からの再生音を同時にマイクロフォン１５０を介して取得し、それらを合わせて検査していたが、左右を別々に検査するようにしてもよい。
【００４４】
以上の実施例に関し、さらに以下の付記を開示する。
【００４５】
（付記１）
音再生回路とスピーカとからなる音再生装置を検査する音再生装置検査方法であって、
良品と判定された音再生装置から検査用音データの再生音をサンプリングして作成されたリファレンスファイルから該リファレンスファイルのデータ構成単位に所定値を加減算して上限値と下限値を算出し、基準データファイルを作成する基準データファイル作成手順と、
検査対象の音再生装置から前記検査用音データの再生音をサンプリングし、サンプリングした再生音を変換して検査用ファイルを作成するする検査用ファイル作成手順と、
前記検査用ファイルのデータを、データ構成単位に前記基準データファイルの上限値と下限値との範囲内にあるかどうかを予め設定したデータ数について順次比較して調べる比較検査手順と、
前記比較検査手順の結果において、前記検査用ファイルのデータが前記データ数連続して前記範囲内にあれば試験対象の音再生装置を合格と判定し、該範囲を外れた場合は該検査用ファイルのデータをデータ構成単位にスタートを遅らせて該比較検査手順を実施して該検査用ファイルのデータが該データ数連続して該範囲内にあれば合格と判定し、そうでなければ不合格と判定する合否判定手順と、
を備えることを特徴とする音再生装置検査方法。
【００４６】
（付記２）
前記検査用音データは、
所定の周波数の正弦波の音データである、
ことを特徴とする付記１記載の音再生装置検査方法。
【００４７】
（付記３）
前記音再生装置検査方法は、
検査対象の音再生装置は、該音再生装置を内蔵するパーソナルコンピュータによって検査されるものである、
ことを特徴とする付記１記載の音再生装置検査方法。
【００４８】
（付記４）
音再生回路とスピーカとからなる音再生装置を検査する音再生装置検査プログラムであって、
コンピュータに、
良品と判定された音再生装置から検査用音データの再生音をサンプリングして作成されたリファレンスファイルから該リファレンスファイルのデータ構成単位に所定値を加減算して上限値と下限値を算出し、基準データファイルを作成する基準データファイル作成手順と、
検査対象の音再生装置から前記検査用音データの再生音をサンプリングし、サンプリングした再生音を変換して検査用ファイルを作成するする検査用ファイル作成手順と、
前記検査用ファイルのデータを、データ構成単位に前記基準データファイルの上限値と下限値との範囲内にあるかどうかを予め設定したデータ数について順次比較して調べる比較検査手順と、
前記比較検査手順の結果において、前記検査用ファイルのデータが前記データ数連続して前記範囲内にあれば試験対象の音再生装置を合格と判定し、該範囲を外れた場合は該検査用ファイルのデータをデータ構成単位にスタートを遅らせて該比較検査手順を実施して該検査用ファイルのデータが該データ数連続して該範囲内にあれば合格と判定し、そうでなければ不合格と判定する合否判定手順と、
を実行させるための音再生装置検査プログラム。
【００４９】
（付記５）
音再生回路とスピーカとからなる音再生装置を検査する音再生装置検査システムであって、
良品と判定された音再生装置から検査用音データの再生音をサンプリングして作成されたリファレンスファイルから該リファレンスファイルのデータ構成単位に所定値を加減算して上限値と下限値を算出し、基準データファイルを作成する基準データファイル作成手段と、
検査対象の音再生装置から前記検査用音データの再生音をサンプリングし、サンプリングした再生音を変換して検査用ファイルを作成する検査用ファイル作成手段と、
前記検査用ファイルのデータを、データ構成単位に前記基準データファイルの上限値と下限値との範囲内にあるかどうかを予め設定したデータ数について順次比較して調べる比較検査手段と、
前記比較検査手段の結果において、前記検査用ファイルのデータが前記データ数連続して前記範囲内にあれば試験対象の音再生装置を合格と判定し、該範囲を外れた場合は該検査用ファイルのデータをデータ構成単位にスタートを遅らせて該比較検査手段を実施して該検査用ファイルのデータが該データ数連続して該範囲内にあれば合格と判定し、そうでなければ不合格と判定する合否判定手段と、
を備えることを特徴とする音再生装置検査システム。
【００５０】
（付記６）
音再生回路とスピーカとからなる音再生装置を検査する音再生装置検査方法であって、
検査対象の音再生装置から検査用音データの再生音をサンプリングし、サンプリングした再生音を変換して検査用ファイルを作成する検査用ファイル作成手順と、
前記検査用ファイルのデータを、前記検査用音データに対する上限値と下限値を定めた基準データファイルのデータとデータ構成単位に順次比較し、該検査用ファイルのデータが該上限値と下限値との範囲内にあるかどうかを予め設定したデータ数について調べる比較検査手順と、
前記比較検査手順の結果において、前記検査用ファイルのデータが前記データ数連続して前記範囲内にあれば試験対象の音再生装置を合格と判定し、該範囲を外れた場合は該検査用ファイルのデータをデータ構成単位にスタートを遅らせて該比較検査手順を実施して該検査用ファイルのデータが該データ数連続して該範囲内にあれば合格と判定し、そうでなければ不合格と判定する合否判定手順と、
を備えることを特徴とする音再生装置検査方法。
【００５１】
（付記７）
音再生回路とスピーカとからなる音再生装置を検査する音再生装置検査プログラムであって、
コンピュータに、
検査対象の音再生装置から検査用音データの再生音をサンプリングし、サンプリングした再生音を変換して検査用ファイルを作成する検査用ファイル作成手順と、
前記検査用ファイルのデータを、前記検査用音データに対する上限値と下限値を定めた基準データファイルのデータとデータ構成単位に順次比較し、該検査用ファイルのデータが該上限値と下限値との範囲内にあるかどうかを予め設定したデータ数について調べる比較検査手順と、
前記比較検査手順の結果において、前記検査用ファイルのデータが前記データ数連続して前記範囲内にあれば試験対象の音再生装置を合格と判定し、該範囲を外れた場合は該検査用ファイルのデータをデータ構成単位にスタートを遅らせて該比較検査手順を実施して該検査用ファイルのデータが該データ数連続して該範囲内にあれば合格と判定し、そうでなければ不合格と判定する合否判定手順と、
を実行させるための音再生装置検査プログラム。
【００５２】
（付記８）
音再生回路とスピーカとからなる音再生装置を検査する音再生装置検査システムであって、
検査対象の音再生装置から検査用音データの再生音をサンプリングし、サンプリングした再生音を変換して検査用ファイルを作成するする検査用ファイル作成手段と、
前記検査用ファイルのデータを、前記検査用音データに対する上限値と下限値を定めた基準データファイルのデータとデータ構成単位に順次比較し、該検査用ファイルのデータが該上限値と下限値との範囲内にあるかどうかを予め設定したデータ数について調べる比較検査手段と、
前記比較検査手段の結果において、前記検査用ファイルのデータが前記データ数連続して前記範囲内にあれば試験対象の音再生装置を合格と判定し、該範囲を外れた場合は該検査用ファイルのデータをデータ構成単位にスタートを遅らせて該比較検査手段を実施して該検査用ファイルのデータが該データ数連続して該範囲内にあれば合格と判定し、そうでなければ不合格と判定する合否判定手段と、
を備えることを特徴とする音再生装置検査システム。
【００５３】
（付記９）
前記音再生装置検査方法は、
所定数のそれぞれ異なる周波数の正弦波の音データを基に検査する、
ことを特徴とする付記１記載の音再生装置検査方法。
【００５４】
（付記１０）
前記音再生装置検査方法は、
左右のスピーカを交互、または同時に検査する、
ことを特徴とする付記１記載の音再生装置検査方法。
【図面の簡単な説明】
【００５５】
【図１】発明の原理図である。
【図２】音再生装置検査システムのシステム構成例である。
【図３】ＷＡＶファイルのデータ例である。
【図４】検査用音データの波形例である。
【図５】基準データの上限値と下限値のデータ例である。
【図６】検査方法と合否判定例である。
【図７】音再生装置の検査の処理フロー例である。
【図８】音再生装置の検査方法例である。
【符号の説明】
【００５６】
１０  基準データファイル作成手順
２０  検査用ファイル作成手順
３０  比較検査手順
４０  合否判定手順
１００  被検査パソコン
１０１  被検査ＰＣ
１１０  制御部
１２０  入出力制御部
１３０  音再生回路
１３１  音再生回路（右）
１３２  音再生回路（左）
１４０  スピーカ
１４１  スピーカ（右）
１４２  スピーカ（左）
１５０  マイクロフォン
１５１  マイクロフォン（右）
１５２  マイクロフォン（左）
１６０  ディスプレイ
１７１  検査用音データファイル
１７２  検査用ＷＡＶファイル
１７３  リファレンスＷＡＶファイル
１７４  基準データファイル
１８０  主記憶
１９０  検査プログラム
１９１  基準データファイル作成部
１９２  音データ再生部
１９３  検査用ＷＡＶファイル作成部
１９４  検査／判定部
１９５  判定結果表示部
２００  検査専用ＰＣ
２１０  ＵＳＢケーブル
【図１】
2007306410.tif 000003
【図２】
2007306410.tif 000004
【図３】
2007306410.tif 000005
【図４】
2007306410.tif 000006
【図５】
2007306410.tif 000007
【図６】
2007306410.tif 000008
【図７】
2007306410.tif 000009
【図８】
2007306410.tif 000010